(57)【要約】【課題】排稈の切断装置では、排稈の切断抵抗が大きいときには、切刃を退避方向に回動させる必要があり、この場合、回転刃と切刃の排稈を挟む挟み角が大きくなって、切断されずに排出される排稈量が増加という課題がある。【解決手段】刈取装置４の掻込リール７により掻き込んで刈刃８により刈り取った穀稈を脱穀装置３に供給して脱穀する構成とし、該脱穀装置３の後部に脱穀装置３から排出される排稈等を切断処理する切断処理装置２０を設け、該切断処理装置２０は、左右方向の切断処理胴２３に並設した回転刃２１と、該回転刃２１の回転軌跡内に一部が入り込む切刃２２とを設けて構成し、切刃２２の一部のみには、鋸状の鋸刃部３３を形成したコンバイン。【選択図】図３
2015188320.tif 000002
【特許請求の範囲】
【請求項１】
刈取装置（４）の掻込リール（７）により掻き込んで刈刃（８）により刈り取った穀稈を脱穀装置（３）に供給して脱穀する構成とし、該脱穀装置（３）の後部に脱穀装置（３）から排出される排稈等を切断処理する切断処理装置（２０）を設け、該切断処理装置（２０）は、左右方向の切断処理胴（２３）に並設した回転刃（２１）と、該回転刃（２１）の回転軌跡内に一部が入り込む切刃（２２）とを設けて構成し、切刃（２２）の一部のみには、鋸状の鋸刃部（３３）を形成したコンバイン。
【請求項２】
請求項１記載の発明において、前記切刃（２２）の鋸刃部（３３）は側面視において回転刃（２１）の回転軌跡内に位置させたコンバイン。
【請求項３】
請求項１または請求項２記載の発明において、前記切刃（２２）は、チョッパフレーム（３５）に取付ける取付軸（３６）回りに回転自在であり、回転刃（２１）の切断処理胴（２３）の軸心方向から見て、切刃（２２）の鋸刃部（３３）が回転刃（２１）の回転軌跡内に位置する複数の作用位置に切替自在に構成したコンバイン。
【請求項４】
請求項１または請求項２または請求項３記載の発明において、前記切刃（２２）の後方には、回転刃（２１）と切刃（２２）により切断した被処理物を後方へ案内する後側排稈ガイド（４２）を設け、前記切刃（２２）全体が回転刃（２１）の回転軌跡から退避する退避位置に切替自在に構成し、後側排稈ガイド（４２）の所定位置には、回転刃（２１）の回転軌跡から退避した切刃（２２）を収容する切欠き部（４５）を形成したコンバイン。
【請求項５】
請求項１または請求項２または請求項３または請求項４記載の発明において、前記切断処理装置（２０）の後側には切断された被処理物を排稈を外部に拡散させる拡散ガイド（５６）を有する排出室（５５）を設け、排出室（５５）の後部には、後部カバー（６０）を設け、後部カバー（６０）は、排出される排稈を案内する作用位置と排稈に案内作用を与えない収納状態とに切替自在に構成したコンバイン。
【請求項６】
請求項１または請求項２または請求項３または請求項４または請求項５記載の発明において、前記後部カバー（６０）は、左右方向の取付軸（６１）により回動自在に構成し、排出室（５５）の天板（５７）の上面には、左右方向の補強部材（６２）を設け、前記収納状態の後部カバー（６０）を止着部材（６３）により補強部材（６２）に固定する構成としたコンバイン。
【発明の詳細な説明】
【技術分野】
【０００１】
本発明は、コンバインに係るものである。
【背景技術】
【０００２】
従来、コンバインの後部に配置して排稈を処理する装置において、左右方向の回転軸に並設した回転刃と、各回転刃の間に位置する切刃とを設け、回転刃の回転軌跡内に位置する作用位置と回転軌跡から退避する退避位置とに切替自在にした構成は、公知である（特許文献１）。
【先行技術文献】
【特許文献】
【０００３】
【特許文献１】特開２００１−１７８２５０号公報
【発明の概要】
【発明が解決しようとする課題】
【０００４】
前記公知例は、排稈の切断抵抗が大きいときには、切刃を退避方向に回動させる必要があり、この場合、回転刃と切刃の排稈を挟む挟み角が大きくなって、切断されずに排出される排稈量が増加という課題がある。
本願は、切断処理装置を工夫し、回転刃を有する切断処理胴の駆動負荷軽減と切断能力向上とを両立させたものである。
【課題を解決するための手段】
【０００５】
請求項１記載の発明は、刈取装置４の掻込リール７により掻き込んで刈刃８により刈り取った穀稈を脱穀装置３に供給して脱穀する構成とし、該脱穀装置３の後部に脱穀装置３から排出される排稈等を切断処理する切断処理装置２０を設け、該切断処理装置２０は、左右方向の切断処理胴２３に並設した回転刃２１と、該回転刃２１の回転軌跡内に一部が入り込む切刃２２とを設けて構成し、切刃２２の一部のみには、鋸状の鋸刃部３３を形成したコンバインとしたものであり、脱穀装置３から排出された排稈やワラ屑類等の被処理物は、回転する回転刃２１と切刃２２とにより挟まれて切断処理され、このとき、被処理物は切刃２２の一部の鋸状の鋸刃部３３により良好に切断される。
請求項２記載の発明は、前記切刃２２の鋸刃部３３は側面視において回転刃２１の回転軌跡内に位置させたコンバインとしたものであり、回転する回転刃２１と切刃２２の鋸刃部３３とにより挟まれて切断処理される。
請求項３記載の発明は、前記切刃２２は、チョッパフレーム３５に取付ける取付軸３６回りに回転自在であり、回転刃２１の切断処理胴２３の軸心方向から見て、切刃２２の鋸刃部３３が回転刃２１の回転軌跡内に位置する複数の作用位置に切替自在に構成したコンバインとしたものであり、排稈の状態に応じて、切刃２２の起立角度を変更し、切断の必要のない排稈の場合は切刃２２全体を回転刃２１の回転軌跡から退避させる。
請求項４記載の発明は、前記切刃２２の後方には、回転刃２１と切刃２２により切断した被処理物を後方へ案内する後側排稈ガイド４２を設け、前記切刃２２全体が回転刃２１の回転軌跡から退避する退避位置に切替自在に構成し、後側排稈ガイド４２の所定位置には、回転刃２１の回転軌跡から退避した切刃２２を収容する切欠き部４５を形成したコンバインとしたものであり、切断処理装置２０を使用しないときは、後側排稈ガイド４２の切欠き部４５に切刃２２を倒伏させて収容して、切刃２２全体を回転刃２１の回転軌跡から退避させる。
請求項５記載の発明は、前記切断処理装置２０の後側には切断された被処理物を排稈を外部に拡散させる拡散ガイド５６を有する排出室５５を設け、排出室５５の後部には、後部カバー６０を設け、後部カバー６０は、排出される排稈を案内する作用位置と排稈に案内作用を与えない収納状態とに切替自在に構成したコンバインとしたものであり、刈取脱穀作業中では、排出室５５の後部に続いて後部カバー６０を配置させて、作業を行い、作業終了後は、天板５７の上方に後部カバー６０を収容する。
請求項６記載の発明は、前記後部カバー６０は、左右方向の取付軸６１により回動自在に構成し、排出室５５の天板５７の上面には、左右方向の補強部材６２を設け、前記収納状態の後部カバー６０を止着部材６３により補強部材６２に固定する構成としたコンバインとしたものであり、後部カバー６０を天板５７の上方に収容後、天板５７の上面の補強部材６２に止着部材６３により固定する。
【発明の効果】
【０００６】
請求項１記載の発明では、切断処理装置２０の切刃２２の一部のみを鋸刃部３３に形成しているので、例えば、太い排稈等の切断抵抗が大きいときであっても、鋸刃部３３の部分で排稈等の切断性能を高め、鋸刃部３３以外部分で回転刃２１の回転抵抗の増加を抑制し、回転刃２１を有する切断処理胴２３の駆動負荷軽減と切断能力向上とを両立させることができ、全体の排稈等の切断処理効率を向上させることができる。
請求項２記載の発明では、回転する回転刃２１と切刃２２の鋸刃部３３とにより挟まれて切断処理されるので、良好に切断処理できる。
請求項３記載の発明では、切刃２２の起立角度を変更して、回転刃２１に対する鋸刃部３３の位置を変更できるので、排稈の状態に応じて最適な切断処理を行うことができる。
請求項４記載の発明では、切断処理装置２０を使用しないときは、後側排稈ガイド４２の切欠き部４５に切刃２２を倒伏させて収容できるので、切刃２２全体を回転刃２１の回転軌跡から退避させるのみならず、排出抵抗となるのを防止できる。
請求項５記載の発明では、作業終了後は、天板５７の上方に後部カバー６０を収容するので、機体全長をコンパクトにできる。
請求項６記載の発明では、後部カバー６０の固定を確実にできる。
【図面の簡単な説明】
【０００７】
【図１】コンバインの側面図。
【図２】脱穀装置の縦断側面図。
【図３】切断処理装置の側面図。
【図４】同正面図。
【図５】切刃の倒伏状態の平面図および切刃の起立状態の平面図。
【図６】脱穀装置と切断処理装置の側面図。
【図７】切断処理装置の側面図。
【図８】（Ａ）切断処理装置の平面図。                                               （Ｂ）切断処理装置の背面図。
【図９】切断処理装置の背面図。
【図１０】脱穀装置の縦断正面図。
【図１１】同平面図。
【発明を実施するための形態】
【０００８】
本発明の一実施形態を図面により説明する。理解を容易にするために便宜的に方向を示して説明しているが、これらにより構成が限定されるものではない。
１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である（図１）。
本願では、刈取装置４により刈り取った穀稈を全て脱穀装置３に供給して脱穀する、全穀稈投入型の汎用コンバインとしている。
刈取装置４は、掻込リール７と、刈刃８と、オーガ装置９とを、オーガフレーム１０に設けて構成している。掻込リール７は、倒伏した穀稈、大豆やそば等の丈の低い穀稈、油菜や菜の花等の丈の高い穀稈をオーガ装置９に掻込む装置であり、オーガ装置９の全幅と略同一幅に形成し、オーガ装置９の上側に設ける。
【０００９】
刈刃８は、掻込リール７で掻込まれた穀稈の株元を切断する装置であり、オーガ装置９の前側下部に設け、側面視において前側から後側に緩やかに後上がり傾斜させて設ける。
オーガ装置９は、掻込リール７で掻込まれた穀稈をオーガフレーム１０の左側後部に開口された送込口の前方に寄せ集めて搬送エレベータ１１に引き継ぐ装置であり、搬送エレベータ１１の前方に設けられ汎用コンバインの機体の全幅とほぼ同一幅に形成する。
搬送エレベータ１１は、オーガ装置９から引継がれた稲、麦、大豆、そば等の穀稈を脱穀装置３に揚上搬送する装置であり、オーガフレーム１０と脱穀装置３の間に設ける。
脱穀装置３は、図２のように、上部に穀稈の脱穀を行う扱胴１３を軸装した扱室１４を設け、扱室１４の下側には扱室１４から漏下する脱穀処理物を穀粒とそれ以外の藁屑等とに選別する選別室１５を設ける。
【００１０】
選別室１５の上部には揺動選別装置１６を設ける。選別室１５の前側下部には揺動選別装置１６に送風する唐箕１７と、揺動選別装置１６から漏下する穀粒を回収する１番コンベア１８と、揺動選別装置１６から漏下する枝梗等が付着した穀粒を回収する２番コンベア１９とを設ける。１番コンベア１８で回収された穀粒はグレンタンク５に移送され、２番コンベア１９で回収された穀粒等は扱室１４の前部に移送され、再び脱穀処理される。
選別室１５の後側には、扱室１４から排出される排稈や選別室１５から排出されるワラ屑類等を切断するスプレッダ式の切断処理装置２０を設ける。切断処理装置２０には、切断処理装置２０の前部の上下方向中間部に扱室１４から排出された排稈等を切断する回転刃２１と、切断処理装置２０の前部の下部に起立・倒伏可能な切刃２２とを設ける。
【００１１】
回転刃２１は、切断処理胴（回転体）２３の外周に放射方向に突出させて設ける。切断処理胴２３は、切断処理装置２０の左右側板２４に自動調芯可能なべアリング２５を介して両端部を軸装する（図４）。
切断処理胴２３は、両端部がべアリング２５に軸支されている内側回転軸２６と、内側回転軸２６の両側部に固着された支持部材２７によって連結された外側回転軸２８を有する。
回転刃２１は、切断処理胴２３の外周面に、左右方向に所定の間隔を持ち、側面視において、相互に重ならないように、周方向に１２０度の間隔を持って位置させて、千鳥状に配置する。
切断処理胴２３の外周面には、排稈等の回転刃２１への絡み付きを防止するために、回転刃２１を装着する取付部２９を、左右方向に所定の間隔を持ち、且つ、周方向に１２０度の間隔を持って周設する。各取付部２９は、背面視において、相互に重ならないように配置する。回転刃２１は取付部２９に対して着脱自在に取付ける。
【００１２】
また、回転刃２１は、回転方向の前後縁に刃部を有し、片側の刃部が摩耗した際に、取付部２９に対して回転刃２１お前後反転させて取り付けることができる。
切刃２２は回転刃２１の回転軌跡より内側に突出させる（図３）。
そのため、回転する回転刃２１と切刃２２とにより排稈等を切断する。
切刃２２は、刃体部３０と該刃体部３０と一体の取付部３１とにより縦断面が略Ｌの字状に形成し、取付部３１には下方に突出する円柱状の支持部３２を設けて構成する（図４．図５）。
刃体部３０の前側の一部は、所謂刃先に鋸状の切り溝を有する鋸刃部３３に形成し、鋸刃部３３より先端側の刃体部３０は鉈刃部３４に形成する（図３）。鉈刃部３４は、刃先に切り溝のない一枚刃状に形成する。（なお、図５の中央より左側部分は切刃の倒伏状態の平面図を示し、中央より右側部分は切刃の起立状態の平面図を示している。）
【００１３】
そのため、切刃２２は、鋸刃部３３の部分で排稈等の切断性能を高め、鉈刃部３４の部分で回転刃２１の回転抵抗の増加を抑制し、排稈等の切断処理効率を向上させられる。
切刃２２は、切断処理装置２０の左右側板２４に両端部が揺動自在に軸支されている取付軸３６に左右方向に所定の間隔で、かつ、刃体部３０の左右方向の中心を回転刃２１に対向する位置に配置する。
即ち、回転刃２１と切刃２２の刃体部３０は背面視において並行状態に位置する。
切刃２２は、チョッパフレーム３５に取付ける取付軸３６回りに回動自在であり、回転刃２１の切断処理胴２３の軸心方向から見て、切刃２２の鋸刃部３３の部分が回転刃２１の回転軌跡内に位置する複数の作用位置と切刃２２全体が回転刃２１の回転軌跡から退避する退避位置とに切替自在に構成する。
【００１４】
そのため、扱室１４から排出される排稈や、選別室１５から排出されるワラ屑類等を切断処理装置２０で切断しない場合に、切刃２２がワラ屑類等の移送の抵抗となるのを防止する。
即ち、切刃２２は、起立角度変更自在とし、起立角度を変更することにより、鋸刃部３３の部分が回転刃２１の回転軌跡内で複数の作用位置に位置する。
切刃２２の鋸刃部３３は、起立作用位置にて後述するように起立角度調節自在に構成するが、起立作用位置にある切刃２２の鋸刃部３３は、回転刃２１の回転軌跡より内側に突出する構成とする。
そのため、切刃２２の鋸刃部３３の作動の確実性を確保できる。
背面視において左右方向および周方向に千鳥状に配置した各回転刃２１の回転軌跡の側方に、切刃２２が位置するように配置する（図４）。
【００１５】
即ち、隣接する全ての切刃２２の間を各回転刃２１の何れかが通過する。
そのため、刃体部３０と該刃体部３０と一体の取付部３１とにより縦断面が略Ｌの字状に形成した切刃２２であっても、各回転刃２１の移動路の左右両側に位置して確実に排稈等を切断する。
また、各切刃２２は、取付軸３６に左右方向に所定の間隔を持って開口された孔に支持部３２を挿入した後、ナットを締め付けて固定する。
そのため、一つの切刃２２の刃体部３０を一つの支持部３２により支持するので、Ｕ型状の２枚の刃体部３０を配した場合に比し支持強度を向上させられる。
切断処理装置２０のチョッパフレーム３５の左側板２４より延出した取付軸３６の左端部には、操作プレート３７を固定する（図４、図７）。操作プレート３７は取付軸３６中心に回動自在に構成し、操作プレート３７を回動させることにより、切刃２２の起立・倒伏状態の切替えおよび角度変更を行なう。３９は操作プレート３７を固定するボルトである。
【００１６】
そのため、チョッパフレーム３５の左側板２４の外側から、操作プレート３７を回動させるだけで、取付軸３６が回転して切刃２２の起立・倒伏状態の切替えおよび角度変更を行なえるので、作業が容易になる。
取付軸３６には、切刃２２の後側部分には補強プレート３８を固定する。補強プレート３８は切刃２２と取付軸３６とに跨って固定し、切刃２２および取付軸３６の撓み・変形を防止する。
切断処理装置２０の左側板左右側板２４には、補強プレート３８を取付けた取付軸３６の着脱を容易に行なうために、補強プレート３８が装着された取付軸３６を挿通可能な形状の切欠き部４０を開口する。
切断処理装置２０の取付軸３６の前側底部には前側排稈ガイド４１を設ける（図３、図５）。前側排稈ガイド４１の上面は平坦に形成し、排出された排桿等を後方に向かってスムーズに移送する。前側排稈ガイド４１の上面は、取付軸３６の上端部よりも高く、回転刃２１の最下端部よりも低く配置する。
【００１７】
切断処理装置２０の取付軸３６の後側底部には、回転刃２１と切刃２２により切断した被処理物を後方へ案内する後側排稈ガイド４２を設け、後側排稈ガイド４２の所定位置には、倒伏させた切刃２２を収容する切欠き部４５を形成する（図３、図５）。
そのため、倒伏した切刃２２が後側排稈ガイド４２の上面よりも下側に位置するので、藁屑等の処理物の移送が停滞するのを防止する。
後側排稈ガイド４２の上面は、取付軸３６の上端部よりも高く、回転刃２１の最下端部よりも低く配置し、回転刃２１によって上方に引き込まれる切断された排稈等を下方に移送する。
これにより、扱室１４から排出される排稈や、選別室１５から排出されるワラ屑類等の被処理物を切断処理装置２０で切断する場合に、切刃２２を起立させた状態において、回転刃２１を図２、図３等における反時計方向に回転させると、切断処理装置２０の前部に排出されてきた被処理物を回転刃２１と切刃２２の間にスムーズに移送することができる。
【００１８】
脱穀装置３の後板４７には切断処理装置２０に向かって延出する上下側片４８、４９を固着し、切断処理装置２０の左側板２４には、上下側片４８、４９の夫々に係合する上側係合部５０と下側係合部５１とを設ける。
切断処理装置２０を閉塞する場合には、切断処理装置２０の下側係合部５１を脱穀装置３の下側片４９に挿嵌して下側係合部５１の上側から固定ピン５２を下側係合部下側係合部５１と下側片４９に挿通した後、切断処理装置２０の上側係合部５０のピンを脱穀装置３の上側片４８に挿通して閉塞する。
一方、切断処理装置２０を開放する場合には、切断処理装置２０の上側係合部５０のピンを脱穀装置３の上側片４８から取外した後、切断処理装置２０の下側係合部５１と脱穀装置３の下側片４９から固定ピン５２を取外して下側係合部５１を下側片４９から取外して開放する。
【００１９】
切断処理装置２０の後側には、切断処理装置２０で切刃２２を起立して切断された排稈や、切刃２２を倒伏して非切断された排稈を外部に拡散して排出する排出室５５を設ける。排出室５５には、切断処理装置２０から排出された排稈を拡散する拡散ガイド５６を設ける。
拡散ガイド５６は縦板状に形成し、排出室５５の天板５７に縦軸回動自在に、左右方向に複数並設する。各拡散ガイド５６は傾斜角度を任意の角度に調整可能に構成する。
排出室５５の後部には、後部カバー６０を設ける。後部カバー６０は左右方向の取付軸６１により、回動自在に取付け、これにより天板５７と略同一傾斜状態となる作用位置と天板５７の上方に位置する収納状態とに切替自在に構成する。
そのため、非作業状態では、後部カバー６０を天板５７の上方に収納できるので、機体全長を短くできる。
【００２０】
前記天板５７の上面には、左右方向の補強部材６２を設け、該補強部材６２に後部カバー６０を止着部材６３により固定する構成とする。
そのため、補強部材６２を排出室５５の補強部材と後部カバー６０の支持部材とを兼用することができる。
排出室５５は、天板５７と、左側板５５Ｂと、右側板５５Ｃとにより下方を開放して形成し、また、右側板５５Ｃは前端部から後端部に向かって左側に傾斜させている。そのため、外部との衝突を防止し、排稈を圃場に拡散させながら排出する。
同様に、排出室５５の後側の後部カバー６０は、上側板６０Ａと、左側板６０Ｂと、右側板６０Ｃとにより下方を開放して形成し、右側板６０Ｃは前端部から後端部に向かって左側に傾斜させ、外部との衝突を防止し、排稈を圃場に拡散させながら排出する。この場合、後部カバー６０は金属製でもよいが、合成樹脂製にすると、軽量化が図れ、好適である。
【００２１】
６７は一番プーリ、６８は二番プーリ、６９は第一カウンタプーリ、７０は第二カウンタプーリ、７１は第一ベルトであり、これらにより、１番コンベア１８と２番コンベア１９を駆動する。
第一カウンタプーリ６９と揺動プーリ７２とには、別途、第二ベルト７３を巻掛け、揺動選別装置１６を揺動させる。
第二カウンタプーリ７０と切断処理胴２３の切断プーリ７４には、第三ベルト７５を巻掛け、回転刃２１を反時計方向に回転させる。
脱穀装置３の左側側面には、サイドカバー７６を縦軸７７により回動自在に取付ける。サイドカバー７６の内側面には受網７８からの濾粒を寄せるガイド７９を設ける。ガイド７９は正面視において、下広がりの内側縁８０と略水平の下縁８１とを有し、内側縁８０と下縁８１との交差部分を円弧部８２に構成する。
そのため、サイドカバー７６を縦軸縦軸７７中心に外側回動させて、開閉する際に、ガイド７９の部分がサイドカバー７６の重量により下がっても、円弧部８２によりガイドされてスムーズに収納できる。
【００２２】
（実施形態の作用）
機体を走行させ、刈取装置４により刈り取った穀稈を搬送エレベータ１１により脱穀装置３に供給し、扱室１４で脱穀され、扱室１４から漏下する脱穀処理物を穀粒とそれ以外の藁屑等とに揺動選別装置１６の揺動と唐箕１７からの送風により選別される。
選別室１５の後側には、扱室１４から排出される排稈や選別室１５から排出されるワラ屑類等を切断するスプレッダ式の切断処理装置２０を設けているので、ワラ屑類等の被処理物は回転する回転刃２１と切刃２２により切断処理される。
切刃２２は回転刃２１の回転軌跡より内側に突出させているので、回転する回転刃２１と切刃２２とにより排稈等の被処理物を切断する。
【００２３】
切刃２２は、刃体部３０と該刃体部３０と一体の取付部３１とにより縦断面が略Ｌの字状に形成し、取付部３１には下方に突出する円柱状の支持部３２を設けて構成し、刃体部３０の一部のみは鋸状の鋸刃部３３に形成しているので、切刃２２は、鋸刃部３３の部分で排稈等の切断性能を高められる。
切刃２２は、鋸刃部３３より先端側の刃体部３０は鉈刃部３４に形成しているので、鉈刃部３４の部分で回転刃２１の回転抵抗の増加を抑制し、被処理物の切断処理効率を向上させられる。
即ち、切刃２２は、鋸刃部３３の部分で排稈等の切断性能を高め、鉈刃部３４の部分で回転刃２１の回転抵抗の増加を抑制し、全体として切断処理効率を向上させられる。
【００２４】
切刃２２は、切断処理装置２０の左右側板２４に両端部が揺動自在に軸支されている取付軸３６に左右方向に所定の間隔で、かつ、刃体部３０の左右方向の中心を回転刃２１に対向する位置に配置しているので、回転刃２１の回転軌跡の左右両側に切刃２２が位置し、被処理物は回転刃２１と二つの切刃２２により切断処理される。
切刃２２は、チョッパフレームチョッパフレーム３５に取付ける取付軸３６回りに回転自在であり、回転刃２１の切断処理胴２３の軸心方向から見て、切刃２２の鋸刃部３３の部分が回転刃２１の回転軌跡内に位置する複数の作用位置と切刃２２全体が回転刃２１の回転軌跡から退避する退避位置とに切替自在に構成しているので、扱室１４から排出される排稈や、選別室１５から排出されるワラ屑類等を切断処理装置２０で切断しない場合に、切刃２２がワラ屑類等の移送の抵抗となるのを防止する。
【００２５】
切刃２２の鋸刃部３３は、起立作用位置にて後述するように起立角度調節自在に構成するが、起立作用位置にある切刃２２の鋸刃部３３は、回転刃２１の回転軌跡より内側に突出する構成としているので、切刃２２の鋸刃部３３の作動の確実性を確保できる。
背面視において左右方向および周方向に千鳥状に配置した各回転刃２１の回転軌跡の側方に、切刃２２が位置するように配置しているので、刃体部３０と該刃体部３０と一体の取付部３１とにより縦断面が略Ｌの字状に形成した切刃２２であっても、各回転刃２１の移動路の左右両側に位置して確実に被処理物を切断する。
また、各切刃２２は、取付軸３６に左右方向に所定の間隔を持って開口された孔に支持部３２を挿入した後、ナットを締め付けて固定しているので、一つの切刃２２の刃体部３０を一つの支持部３２により支持するので、Ｕ型状の２枚の刃体部３０を配した場合に比し支持強度を向上させられる。
【００２６】
切断処理装置２０の左側板左右側板２４より延出した取付軸３６の左端部には、操作プレート３７を固定し、操作プレート３７は取付軸３６中心に回動自在に構成しているので、操作プレート３７を回動させることにより、切刃２２の起立・倒伏状態の切替えおよび角度変更を行なえる。
取付軸３６の切刃２２の後側部分には補強プレート３８を固定しているので、補強プレート３８は切刃２２と取付軸３６とに跨って固定し、切刃２２および取付軸３６の撓み・変形を防止する。
切断処理装置２０の取付軸３６の後側底部には、回転刃２１と切刃２２により切断した被処理物を後方へ案内する後側排稈ガイド４２を設け、後側排稈ガイド４２の所定位置には、倒伏させた切刃２２を収容する切欠き部４５を形成しているので、倒伏した切刃２２が後側排稈ガイド４２の上面よりも下側に位置するので、藁屑等の処理物の移送が停滞するのを防止する。
【００２７】
後側排稈ガイド４２の上面は、取付軸３６の上端部よりも高く、回転刃２１の最下端部よりも低く配置しているので、回転刃２１によって上方に引き込まれる切断された被処理物を下方に移送する。
これにより、扱室１４から排出される排稈や、選別室１５から排出されるワラ屑類等の被処理物を切断処理装置２０で切断する場合に、切刃２２を起立させた状態において、回転刃２１を反時計方向に回転させると、切断処理装置２０の前部に排出されてきた被処理物を回転刃２１と切刃２２の間にスムーズに移送することができる。
切断処理装置２０の後側には、左右側方と上方を包囲して下面側を開放した排出室５５を設けているので、切断処理装置２０で切断処理された被処理物は、排出室５５にて左右に拡散されながら圃場に排出される。
【００２８】
排出室５５の後部には、後部カバー６０を設け、後部カバー６０は左右方向の取付軸６１により、天板５７と略同一傾斜状態となる作用位置と天板５７の上方に位置する収納状態とに切替自在に構成しているので、非作業状態では、後部カバー６０を天板５７の上方に収納できるので、機体全長を短くできる。
天板５７の上面には、左右方向の補強部材６２を設け、該補強部材６２に後部カバー６０を止着部材６３により固定する構成としているので、補強部材６２を排出室５５の補強部材と後部カバー６０の支持部材とを兼用することができる。
【符号の説明】
【００２９】
１…機体フレーム、２…走行装置、３…脱穀装置、４…刈取装置、５…グレンタンク、６…操縦部、７…掻込リール、８…刈刃、９…オーガ装置、１０…オーガフレーム、１１…搬送エレベータ、１４…扱室、１５…選別室、１６…揺動選別装置、１７…唐箕、１８…１番コンベア、１９…２番コンベア、２０…切断処理装置、２１…回転刃、２２…切刃、２３…切断処理胴、２４…左右側板、２５…べアリング、２６…内側回転軸、２７…支持部材、２８…外側回転軸、２９…取付部、３０…刃体部、３１…取付部、３２…支持部、３３…鋸刃部、３４…鉈刃部、３５…チョッパフレーム、３６…取付軸、３７…操作プレート、３８…補強プレート、３９…ボルト、４０…切欠き部、４１…前側排稈ガイド、４２…後側排稈ガイド、４５…切欠き部、４７…後板、４８、４９…上下側片、５０…上側係合部、５１…下側係合部、５２…固定ピン、５５…排出室、５６…拡散ガイド、５７…天板、６０…後部カバー、６１…取付軸、６２…補強部材、６３…止着部材、６７…一番プーリ、６８…二番プーリ、６９…第一カウンタプーリ、７０…第二カウンタプーリ、７１…第一ベルト、７２…揺動プーリ、７３…第二ベルト、７４…切断プーリ、７５…第三ベルト、７６…サイドカバー、７７…縦軸、７８…受網、７９…ガイド、８０…内側縁、８１…下縁、８２…円弧部。
【図１】
2015188320.tif 000003
【図２】
2015188320.tif 000004
【図３】
2015188320.tif 000005
【図４】
2015188320.tif 000006
【図５】
2015188320.tif 000007
【図６】
2015188320.tif 000008
【図７】
2015188320.tif 000009
【図８】
2015188320.tif 000010
【図９】
2015188320.tif 000011
【図１０】
2015188320.tif 000012
【図１１】
2015188320.tif 000013